(57)【特許請求の範囲】
【請求項１】
トラクタ（２）にリンク機構を介して装着される機枠（４）を備え、この機枠（４）の下部に、その両端が軸受けを介して左右軸回りに回転自在に支持された爪軸（１２）に多数の耕耘爪（１３）を取り付けてなる耕耘部（５）を備え、この耕耘部（５）の左右両側にそれぞれ爪軸（１２）を支持するフレーム部材を備えたロータリにおいて、
前記左右のフレーム部材のうちの少なくとも一方のフレーム部材の左右方向外側方で且つコンクリート畦畔の上部に対応する位置に、棒状部材によって形成されていて後方に行くに従って上方に移行する傾斜状とされて配置されたサイドガード（３１）を設けたことを特徴とするロータリ。
【請求項２】
前記機枠（４）は、ギヤケース（８）から左右にサポートアーム（９）を突設し、且つ一方のサポートアーム（９）の外端に伝動ケース（１０）の上部を固定すると共に、他方のサポートアーム（９）の外端にサイドフレーム（１１）の上部を固定してなり、
前記左右フレーム部材の一方は前記伝動ケース（１０）で構成され、左右フレーム部材の他方は前記サイドフレーム（１１）で構成され、
前記サイドガード（３１）の前側を、該サイドガード（３１）が設けられた側のフレーム部材から前方側且つ左右方向内方側に延出させていることを特徴とする請求項１に記載のロータリ。
【請求項３】
前記サイドガード（３１）を、該サイドガード（３１）が設けられた側のフレーム部材から前後に延出させ、且つサイドガード（３１）の前後を長さ方向の端部に行くに従って左右方向内方に移行する傾斜状としていることを特徴とする請求項２に記載のロータリ。
【発明の詳細な説明】
【技術分野】
【０００１】
本発明は、コンクリート畦畔用のガードを備えたロータリに関するものである。
【背景技術】
【０００２】
ロータリによって畦ぎわを耕耘する場合、できるだけ残耕を残さないように、できるだけロータリを畦畔に近づけて耕耘するが、畦畔がコンクリート畦畔の場合、ロータリがコンクリート畦畔に接触するとロータリ、特に爪軸の軸受け部分を損傷させる。
そこで、ロータリの側方にコンクリート畦畔用のサイドガードを設けることが考えられる。
【０００３】
コンクリート畦畔は圃場毎に高さが不揃いなので、ロータリの側方にコンクリート畦畔用のサイドガードを設ける場合、高さの異なるコンクリート畦畔に対応できることが必要である。
このサイドガード備えたロータリとして、特許文献１に記載のロータリがある。
このロータリは、トラクタにリンク機構を介して装着される機枠を備え、この機枠の下部に、左右軸回りに回転自在に支持された爪軸に多数の耕耘爪を取り付けてなる耕耘部を備え、この耕耘部の左右両側に爪軸を支持するフレーム部材を備えている。
【０００４】
一方のフレーム部材には、砕土作業姿勢時において、上下方向である鉛直方向の軸心を有する回転軸の軸心回りに回転自在に設けられたローラによって主構成されたサイドガードが設けられている。
【先行技術文献】
【特許文献】
【０００５】
【特許文献１】特開２００５−２９５８１３号公報
【発明の概要】
【発明が解決しようとする課題】
【０００６】
畦ぎわには、畦畔の上部から長桿の草が垂れ下がっていることが多い。
従来のロータリにあっては、サイドガードが縦向きであるので、畦ぎわを耕耘する場合、サイドガードに前記長桿の草が絡みつく惧れがある。
そこで、本発明は、前記問題点に鑑み、高さの異なるコンクリート畦畔に対応でき、且つ畦ぎわを耕耘する際にサイドガードに長桿の草が絡み付くのを防止しながら爪軸の軸受け部分がコンクリート畦畔に接触しないようにすることができるロータリを提供することを課題とする。
【課題を解決するための手段】
【０００７】
前記技術的課題を解決するために本発明が講じた技術的手段は、以下の点を特徴とする。
請求項１に係る発明は、トラクタ２にリンク機構を介して装着される機枠４を備え、この機枠４の下部に、その両端が軸受けを介して左右軸回りに回転自在に支持された爪軸１２に多数の耕耘爪１３を取り付けてなる耕耘部５を備え、この耕耘部５の左右両側にそれぞれ爪軸１２を支持するフレーム部材を備えたロータリにおいて、
前記左右のフレーム部材のうちの少なくとも一方のフレーム部材の左右方向外側方で且つコンクリート畦畔の上部に対応する位置に、棒状部材によって形成されていて後方に行くに従って上方に移行する傾斜状とされて配置されたサイドガード３１を設けたことを特徴とする。
【０００８】
請求項２に係る発明は、前記機枠４は、ギヤケース８から左右にサポートアーム９を突設し、且つ一方のサポートアーム９の外端に伝動ケース１０の上部を固定すると共に、他方のサポートアーム９の外端にサイドフレーム１１の上部を固定してなり、
前記左右フレーム部材の一方は前記伝動ケース１０で構成され、左右フレーム部材の他方は前記サイドフレーム１１で構成され、
前記サイドガード３１の前側を、該サイドガード３１が設けられた側のフレーム部材から前方側且つ左右方向内方側に延出させていることを特徴とする。
【０００９】
請求項３に係る発明は、前記サイドガード３１を、該サイドガード３１が設けられた側のフレーム部材から前後に延出させ、且つサイドガード３１の前後を長さ方向の端部に行くに従って左右方向内方に移行する傾斜状としていることを特徴とする。
【発明の効果】
【００１０】
請求項１に係る発明によれば、棒状部材によって形成されたサイドガードを、フレーム部材の左右方向外側方で且つコンクリート畦畔の上部に対応する位置に、後方に行くに従って上方に移行する傾斜状として配置したので、サイドガードが圃場毎に高さの異なるコンクリート畦畔に対応することができ、且つ畦ぎわを耕耘する際に、畦畔の上部から垂れ下がる長桿の草を後上方に案内でき、サイドガードに該長桿の草が絡み付くのを防止することができると共に、コンクリート畦畔上部で該畦畔とサイドガードとの距離を見ながらトラクタを操縦することができ、土中に入った爪軸の軸受け部分が運転者から見えなくなっても該軸受け部分がコンクリート畦畔に接触して破損することを妨げる。
【００１１】
請求項２に係る発明によれば、サイドガードの前側をフレーム部材（伝動ケース、サイドフレームのうちサイドガードが設けられた側の部材）から前方側且つ左右方向内方側に延出させることにより、トラクタの運転席に着座したオペレータからサイドガードが見えやすく、サイドガードを視認することによってロータリとコンクリート畦畔との距離を推量することが容易である。
【００１２】
請求項３に係る発明によれば、サイドガードをフレーム部材（伝動ケース、サイドフレームのうちサイドガードが設けられた側の部材）から前後に延出し、前後部分を長さ方向の端部に行くに従って左右方向内方に移行する傾斜状としたので、トラクタを前後進させる際に、サイドガードの前端側又は後端側がなにかのものに引っ掛かる惧れはほとんどなく、また、サイドガードの端部がなにかのものに衝当した場合の衝撃力を逃がすことができる。
【図面の簡単な説明】
【００１３】
【図１】トラクタにロータリを装着した状態の側面図である。
【図２】ロータリの側面図である。
【図３】ロータリの背面側から見た一部を断面した展開図である。
【図４】左側サイドガードの取付部分の側面図である。
【図５】右側サイドガードの取付部分の側面図である。
【図６】（ａ）は左側サイドガードの取付部分の平面図、（ｂ）は右側サイドガードの取付部分の平面図である。
【図７】用具ホルダの取付部分の平面図である。
【図８】（ａ）は図７のＡ−Ａ線矢視図、（ｂ）は（ａ）のＢ−Ｂ線矢視図である。
【発明を実施するための形態】
【００１４】
以下、本発明の実施の形態を図面を参照して説明する。
図１〜図３において、符号１は、トラクタ２の後部に三点リンク機構３等の装着機構を介して昇降自在に装着されて圃場を移動しながら該圃場を耕耘するロータリである。
このロータリ１は、三点リンク機構３に取り付けられる機枠４と、この機枠４の下部に設けられた耕耘部５と、この耕耘部５を覆うロータリカバー６と、前記機枠４に後方延出状に設けられた支持フレーム７とから主構成されている。
【００１５】
このロータリ１は、サイドドライブ式のロータリであり、機枠４は、中央のギヤケース８から左右にパイプ材からなるサポートアーム９が突設され、左右一方（左側）のサポートアーム９の左右方向外端に伝動ケース１０の上部が固定され、左右他方（右側）のサポートアーム９の左右方向外端にサイドフレーム１１の上部が固定されて門型状に構成されている。
【００１６】
本実施形態では、伝動ケース１０とサイドフレーム１１が、機枠４の左右両端側を構成するフレーム部材とされている。なお、このフレーム部材は、特許文献１のロータリのように、プレート状であってもよい。
耕耘部５は、伝動ケース１０とサイドフレーム１１との下部間に、左右方向の軸心回りに回転自在に支架された爪軸１２と、この爪軸１２に取り付けられた多数の耕耘爪１３とから主構成されている。
【００１７】
前記爪軸１２は軸心方向（左右方向）両端に支軸４６を備えており、前記伝動ケース１０及びサイドフレーム１１の下部には軸受けホルダ４７が取付固定されている。前記爪軸１２の両端の支軸４６は、左右方向で同じ側にある軸受けホルダ４７に軸受け４８を介して左右軸回りに回転自在に支持されている。
ギヤケース８には、トラクタ２のＰＴＯ軸から動力が入力され、この動力は左側サポートアーム９内の伝動軸、伝動ケース１０内の動力伝達機構を介して爪軸１２に伝達され、該爪軸１２が軸心回りに回転駆動される。
【００１８】
ロータリカバー６は、耕耘部５の上方を覆うアッパーカバー１４と、耕耘部５の後方を覆うリヤカバー１５と、耕耘部５の側方上部側を覆うアッパーサイドカバー１６と、耕耘部５の側方後部側を覆うリヤサイドカバー１７とを有する。
アッパーカバー１４は伝動ケース１０とサイドフレーム１１間にわたって設けられている。
【００１９】
リヤカバー１５はアッパーカバー１４の後端側に左右方向の軸心回りに上下揺動自在に枢支されている。
リヤカバー１５の背面側（上面側）には、機枠４に設けられた前ブラケット１８とリヤカバー１５背面に設けられた後ブラケット１９とにわたって設けられていて、リヤカバー１５を接地方向に付勢する弾下装置２０が左右一対設けられている。
【００２０】
アッパーサイドカバー１６は、アッパーカバー１４の左端部と伝動ケース１０との間、及びアッパーカバー１４の右端部とサイドフレーム１１の間に設けられ、伝動ケース１０、サイドフレーム１１に取付固定されている。
また、アッパーカバー１４の左右方向の端部はアッパーサイドカバー１６に固着されている。
【００２１】
左側のアッパーサイドカバー１６は、伝動ケース１０から前後に延出しており、伝動ケース１０の前後に固着されたブラケット板２１にボルト２９で固定されている。
右側のアッパーサイドカバー１６は、サイドフレーム１１から前後に延出しており、サイドフレーム１１の前後の延出壁２２にボルト２９で固定されている。
リヤサイドカバー１７は、伝動ケース１０とサイドフレーム１１の後方側にそれぞれ設けられている。
【００２２】
支持フレーム７は、左右の弾下装置２０の間に配置され、左右各サポートアーム９から後方に延びる左右一対の側枠材２３と、左右の側枠材２３の前後方向中間部を連結する連結枠材２４と、左右の側枠材２３の後端側に左右方向に配置されていて該左右の側枠材２３の後端に固着されたツールバー２５とから主構成されている。
左右の側枠材２３の前端側は、サポートアーム９に固定されたブラケット２６に左右方向の軸心回りに回動自在に枢支連結されていて、支持フレーム７は機枠４に上下揺動自在に支持されている。
【００２３】
ギヤケース８の上部に取付固定されたブラケット２７と支持フレーム７の連結枠材２４とにわたって、支持フレーム７の高さを調整する高さ調整装置２８が設けられている。
この高さ調整装置２８は、前端側に取り付けられるモータ又はハンドルによってネジ杆を軸心回りに回転させることにより長さが調整自在とされたネジ式伸縮機構によって構成されている。
【００２４】
前記ロータリ１には、コンクリートで形成された畦畔の畦ぎわを耕耘する際において、コンクリート畦畔に対してロータリ１が接触しないように保護すると共に、ロータリ１とコンクリート畦畔との距離をオペレータが容易に視認するための目印として機能するサイドガード３１が設けられている。
このサイドガード３１は、図１、図２、図４〜図６に示すように、パイプ材や中実の棒材等の棒状部材によって形成され、本実施形態では、伝動ケース１０及びサイドフレーム１１の側方の上下方向中途部（コンクリート畦畔の上部に対応する位置）に配置されている。
【００２５】
また、このサイドガード３１は長さ方向が前後方向に対して上下に傾斜した方向に配置されており、前後に該サイドガード３１をロータリ１に取付固定するための取付ブラケット３２，３３が固着されている。
本実施の形態では、サイドガード３１は、側面視、後方に行くに従って上方に移行する傾斜状に設けられている。
【００２６】
また、このサイドガード３１は、伝動ケース１０、サイドフレーム１１から前後に延出するように形成されている。このサイドガード３１の、伝動ケース１０、サイドフレーム１１から前側に延出した部分３１ａ（本実施形態では、取付ブラケット３２，３３より前側部）は、サイドガード３１の傾斜方向前方に行くに従って左右方向内方に移行する傾斜状とされている。
【００２７】
また、サイドガード３１の、伝動ケース１０、サイドフレーム１１から後側に延出した部分３１ｂ（本実施形態では、取付ブラケット３２，３３より後側部分）は、サイドガード３１の傾斜方向後方に行くに従って左右方向内方に移行する傾斜状とされている。
前側の取付ブラケット３２は、アッパーサイドカバー１６の前部が取り付けられる、前側のブラケット板２１又は前側の延出壁２２に、アッパーサイドカバー１６を取り付けるボルト２９によって共締めされて取付固定される取付片３２ａと、この取付片３２ａの下端から左右方向外方に延出された支持片３２ｂとから構成されている。
【００２８】
後側の取付ブラケット３３は、アッパーサイドカバー１６の後部が取り付けられる、後側のブラケット板２１又は後側の延出壁２２に、アッパーサイドカバー１６を取り付けるボルト２９によって共締めされて取付固定される取付片３３ａと、この取付片３３ａの下端から左右方向外方に延出された支持片３３ｂとから構成されている。
サイドガード３１は前記取付ブラケット３２，３３の支持片３３ｂの延出端（左右方向外端）に溶接によって固定されている。
【００２９】
前記サイドガード３１は、伝動ケース１０、サイドフレーム１１に対して交差するように、これらに取り付けられ、例えば、以下の寸法で取り付けられている。
伝動ケース１０、サイドフレーム１１を上下方向（鉛直方向）に沿う状態としたときに、サイドガード３１取付用の前後のボルト２９の高さ位置は同じ高さ位置とされ、この状態において、前側のボルト２９からサイドガード３１前端までの上下方向の距離、及び後側のボルト２９からサイドガード３１後端までの距離が、ともに３０ｍｍとされている（すなわち、前端と後端との高低差が６０ｍｍとされている）。
【００３０】
また、サイドガード３１は、伝動ケース１０、サイドフレーム１１から左右方向に離れすぎると残耕が多くなるので、サイドガード３１は、伝動ケース１０、サイドフレーム１１に適度に近づけるのがよく、例えば、伝動ケース１０の下端側に設けたプロテクタ３４、サイドフレーム１１の下端側に設けたプロテクタ３５の各左右方向外端からサイドガード３１の左右方向外端面までの距離は１５ｍｍに設定される。
【００３１】
なお、ロータリ１は耕耘作業時にあっては、伝動ケース１０及びサイドフレーム１１が前傾姿勢とされ、耕耘部５の下部は土中に潜り、爪軸１２の軸受け部分が土中に潜る。
図４、図５において、一点鎖線Ｘ，Ｙ，Ｚは、高さの異なるコンクリート畦畔の上端の高さ位置を示している。
前記実施形態にあっては、コンクリート畦畔の付近（畔ぎわ）で耕耘作業をする際に、サイドガード３１を視認することによりロータリ１とコンクリート畦畔との距離が容易に推量でき、ロータリ１をコンクリート畦畔に近づけて耕耘作業をすることができる。
【００３２】
本実施形態では、左右のサイドガード３１は、伝動ケース１０、サイドフレーム１１から前方側に突出しているので、トラクタ２の運転席に着座したオペレータからサイドガード３１を視認し易い。
また、ロータリ１がコンクリート畦畔に接近しすぎた場合は、サイドガード３１が接触するので、ロータリ１、特に、爪軸１２の軸受け部分が損傷するということはない（ロータリ１とコンクリート畦畔とが直に接触する事がなくなる）。この場合、本実施形態では、サイドガード３１が前後方向に対して斜めに配置されているので、圃場毎に高さが異なるコンクリート畦畔に対応することができる（コンクリート畦畔は上端側が厚さ方向に出っ張っているので、通常、コンクリート畦畔の上部がサイドガード３１に接触する）。
【００３３】
畦ぎわには、畦畔の上部から長桿の草が垂れ下がっていることが多いが、本実施形態では、サイドガード３１が後上がり傾斜状に配置されているので、該垂れ下がった長桿の草を後上方に案内する機能を備えている。
例えば、サイドガード３１が前上がり傾斜状になっていると、トラクタ２が前進することにより、畦畔の上部から垂れ下がる長桿の草が下方に案内されて、該草が耕耘部５に巻き付くことが考えられるが、畦畔の上部から垂れ下がる長桿の草を後上方に案内することにより耕耘部５に長桿の草を巻き込むのを防止するという効果を奏する。
【００３４】
また、サイドガードが長さ方向に直線状とされていると、サイドガードの端部になにかのものが引っ掛かりやすく、また、サイドガードの端部がなにかのものに衝当した場合の衝撃力が大きい。
これに対し、本実施形態では、サイドガード３１が伝動ケース１０、サイドフレーム１１から前後に突出し、前後部分が長さ方向の端部に行くに従って左右方向内方に移行する傾斜状とされているので、トラクタ２を前後進させる際に、サイドガード３１の前端側又は後端側がなにかのものに引っ掛かる惧れはほとんどなく、また、サイドガード３１の端部がなにかのものに衝当した場合の衝撃力を逃がすことができる。
【００３５】
また、コンクリート畦畔の下部には、コンクリートを打設する際に型枠を保持するためのボルトがむき出しになっていることがあるが、サイドガード３１は、このボルトに接触しないように（ひっかからないように）、該ボルトよりも高い位置に設けられる。
前記構成のロータリ１において、サイドガード３１はロータリ１の左右両側（伝動ケース１０側及びサイドフレーム１１側）に設けられているが、ロータリ１の左右一方（伝動ケース１０側又はサイドフレーム１１側）に設けられていてもよい。
【００３６】
ロータリ１で耕耘作業を行った後には土落とし等の整備作業が行われるが、この整備作業をスムーズに行うためには、ロータリ１に整備用具をホールドしておく機能が必要である。
この整備用具のホールド機能は、保持する整備用具がロータリ１の各可動部に接触しないこと、整備用具の収納・取出しがスムーズに行えること、整備用具が耕耘作業の障害とならないこと等の条件が必要である。
【００３７】
そこで、図７、図８に示すように、本実施形態のロータリ１には、箒やスコップ等の整備用具を取り付けるための用具ホルダ３６が、前記条件を満たすべく、前記支持フレーム７に設けられている。
用具ホルダ３６は左右一対あり、支持フレーム７の左右側枠材２３のそれぞれに取りつけられている。左右側枠材２３はパイプ材によって形成され、左右各用具ホルダ３６は、側枠材２３の、前端枢支部分と連結枠材２４固着部分との間に配置されている。
【００３８】
各用具ホルダ３６は、Ｕ字ボルト３７と、このＵ字ボルト３７及びナット３８によって側枠材２３に固定された取付プレート３９と、この取付プレート３９に固着された支持プレート４０と、この支持プレート４０に固定された保持金具４１と、この保持金具４１に縛り付けられる図示省略のゴムバンドとから構成されている。
Ｕ字ボルト３７は側枠材２３を挟むように該側枠材２３に下側から嵌合している。
【００３９】
取付プレート３９は板面が上方を向くように側枠材２３の上面側に配置され、Ｕ字ボルト３７の雄ネジ部が挿通されるボルト挿通孔が形成され、Ｕ字ボルト３７の雄ネジ部にナット３８が螺合されることで側枠材２３に固定されている。
支持プレート４０は板面が左右方向を向くように配置され、取付プレート３９の左右方向内端に溶接によって固着されている。
【００４０】
保持金具４１は、側面視でＵ字形を呈しており、支持プレート４０の上端に溶接固定されている。
前記構成の用具ホルダ３６にあっては、スコップや箒の上下部分を保持金具４１に上方から挿入し、その後、ゴムバンドで保持金具４１にスコップや箒を縛り付けること等により、該スコップや箒が用具ホルダ３６に保持される。
【符号の説明】
【００４１】
２    トラクタ
４    機枠
５    耕耘部
８    ギヤケース
９    サポートアーム
１０    伝動ケース（フレーム部材）
１１    サイドフレーム（フレーム部材）
１２    爪軸
１３    耕耘爪
３１    サイドガード
【図１】
0005285041.tif 000002
【図２】
0005285041.tif 000003
【図３】
0005285041.tif 000004
【図４】
0005285041.tif 000005
【図５】
0005285041.tif 000006
【図６】
0005285041.tif 000007
【図７】
0005285041.tif 000008
【図８】
0005285041.tif 000009